【手続補正書】
【提出日】平成17年11月28日(2005.11.28)
【手続補正１】
【補正対象書類名】明細書
【補正対象項目名】全文
【補正方法】変更
【補正の内容】
【書類名】明細書
【発明の名称】シートロールホルダー
【特許請求の範囲】
【請求項１】
支持構造に固定するための固定部と、前記固定部に突設され、互いに間隔をあけて配置された一対の支持アームと、シートロールの芯部分に通されるとともに、前記一対の支持アームの間に水平な軸のまわりに回転可能に支持されるシートロール保持棒と、前記一対の支持アームの間に水平な支軸のまわりに回動可能に取り付けられ、前記シートロールの外周を取り巻いてのびる制動板兼シート切取板とを備え、前記一対の支持アームにはそれぞれ、前記ロール保持棒の前記シートロールから突出する端部の下側周面を支持する垂直上向きに開口したシートロール保持棒受け部が設けられ、前記支軸は、前記一対の支持アームの間に支持されたシートロールの中心軸の位置より低い位置で、かつ前記支持アームにおける、前記一対の支持アームの間に支持された前記シートロールの中心軸から前記シートロールの満巻時の半径より大きい距離離れた位置に配置され、前記制動板兼シート切取板は、前記支軸に対して垂直な平面で切り取られた断面において上に凸となるように湾曲し、前記支軸から前記シートロールの巻き取り方向にのびる後側部分および前記支軸から前記シートロールの引き出し方向にのびる前側部分からなり、前記後側部分は、前記支軸から前記前側部分よりも長い距離のびていて、前記後側部分の下面の一部が常に前記シートロールの外周面に接触するようになっており、前記前側部分の前端縁にはシートを切り取るための歯が取り付けられ、前記シートロールから引き出されたシート部分の後端縁が切り取りのために前記制動板兼シート切取板の前側部分の歯に押し当てられたとき、前記制動板兼シート切取板は、前記支軸に関して前記前側部分が持ち上げられると同時に、前記後側部分の下面が前記シートロールの外周面に押しつけられるように回動し、前記シートロールの回転を制動するようになっていることを特徴とするシートロールホルダー。
【請求項２】
前記制動板兼シート切取板は、前記支軸に対して垂直な平面で切り取られた断面において、前記前側部分および前記後側部分が、異なる曲率を有する円弧状に湾曲しているとともに、前記前側部分の曲率は前記後側部分の曲率より小さくなっていることを特徴とする請求項１に記載のシートロールホルダー。
【請求項３】
前記制動板兼シート切取板は、前記支軸に対して垂直な平面で切り取られた断面において、前記前側部分および前記後側部分が、異なる曲率を有する円弧状に湾曲しているとともに、前記前側部分の曲率は前記後側部分の曲率より大きくなっていることを特徴とする請求項１に記載のシートロールホルダー。
【発明の詳細な説明】
【０００１】
【発明の属する技術分野】
本発明は、ロール状に巻き取られたシート（以下、「シートロール」という。）を保持し、このシートロールから所要の長さのシートを引き出して切断するようにしたシートロールホルダーの改良に関するものである。
【０００２】
【従来の技術】
この種のシートロールとしては、トイレットペーパーロール、台所用キッチンペーパーロールおよびアルミホイルロール、並びに食料品ラップ用プラスチックフィルムロール等がある。
そして、例えば、トイレットペーパーロールのホルダーとして現在広く普及しているものは、壁面等に固定する固定部および固定部に突設された一対の支持アームからなるホルダー本体と、トイレットペーパーの芯部分に通されると共に一対の支持アームの間に支持された支持軸と、ホルダー本体の上部に揺動可能に取り付けられたペーパー切取板とから構成されている。そして、使用時には、一方の手でぺーパーの端を摘んで所要の長さ引き出し、他方の手でペーパー切取板を押さえてロールの回転を止めた後、ペーパー切取板の先端でペーパーを切り取るようになっており、必ず両手が必要であった。
【０００３】
このため、片手が不自由な人や、あるいは健常者であっても、手荷物がある場合や、衣服の一部を片手で保持しなければならない場合等、事情によって片手しか使えない場合には、非常に不便をきたしていた。
この不便を解消するため、これまでに、トイレットペーパーを片手で切り取り可能としたトイレットペーパーホルダーが多数提案されてきている。
【０００４】
例えば、特開２０００−２７９３４２号公報には、ベース部およびトイレットペーパーロールの芯部分に通されたロール保持軸を支持可能な一対のアーム部を有するホルダー本体と、トイレットペーパーロールの上部を覆うと共にベース部側の後端縁を中心に上下回動可能に軸支された紙切板とを備えたものからなり、紙切板の後端部に、ベース部とトイレットペーパーロールとの間をほぼ下方へのびるストッパーアーム部を設け、ストッパーアーム部にトイレットペーパーロールの回転を停止可能なストッパ部材を近接または離間可能に設けたトイレットペーパーホルダーが記載されている。そして、使用時、片方の手で、ペーパーの端部が下方へ所要量引き出され、紙切板先端に押しつけられる。このとき、引き出されたペーパーによって紙切板が持ち上げられ、それに伴ってストッパーアーム部が回動しロールに近接し、ストッパ部材がロールの回転を停止させる。こうして、片手でペーパーを切り取ることができる。
【０００５】
しかしながら、特開２０００−２７９３４２号公報に記載のトイレットペーパーホルダーは、現在普及しているものより複雑な構造を有しており、また、ストッパ部材は、ゴムやスポンジ等柔らかく摩擦係数の高い材料から形成されるので、使用頻度が高くなると、摩耗による交換を頻繁に行う必要がある。したがって、このトイレットペーパーホルダーは、コスト面およびメンテナンス面で、現在普及しているものより不利である。
【０００６】
また、実用新案登録第３０２５３１４号公報には、壁面等に固定するための固定部および固定部に突設された一対の支持アームからなるホルダー本体と、トイレットペーパーホルダーの芯部分に通されると共に一対の支持アームの間に支持されたホルダー保持軸と、ホルダー本体の上部に後端縁のまわりに揺動可能に取り付けられたカバー本体と、カバー本体の先端部に蝶番状に連結されたカバー先端部とからなり、カバー本体とカバー先端部の連結部にペーパーを通過させるためのスキ間凹部が形成され、カバー先端部の後端部にはストッパーが、前端部には上向きのノコギリ刃が設けられたトイレットペーパーホルダーが記載されている。そして、使用時には、スキ間凹部から引き出されたペーパー部分の後端縁がカバー先端部のノコギリ刃に下向きに押しつけられる。それに伴って、カバー先端部は、カバー本体との連結軸のまわりに回動し、後端部が持ち上げられ、ストッパーが、ロールからノコギリ刃までのびるペーパー部分をカバー本体の裏面に押しつけ、それによって、ペーパー部分が切り取られる。
【０００７】
しかしながら、実用新案登録第３０２５３１４号公報に記載のトイレットペーパーホルダーもまた、現在普及しているものより複雑な構造を有しており、また、ロール交換時に、ロールに通されたホルダー保持軸を一対の支持アームの間に嵌め込んだ後、ロールの引出端をスキ間凹部からカバー外側に出す操作が面倒である。したがって、このトイレットペーパーホルダーもまた、コスト面およびメンテナンス面で、現在普及しているものより不利である。
【０００８】
トイレットペーパーホルダーは、駅構内、病院、公共施設および公園等の便所等、不特定多数の人が使用する便所に設置されるものでもあるので、できるだけ簡単な構造を有し、故障が少なく、また操作し易く、メンテナンスが簡単に行えるものであることが望ましい。また、コスト面においても、現在普及しているものと同程度のコストでまたはそれより低いコストで提供され得ることが望ましい。
【０００９】
【特許文献１】
特開２０００−２７９３４２号公報
【特許文献２】
実用新案登録第３０２５３１４号公報
【００１０】
【発明が解決しようとする課題】
したがって、本発明の課題は、簡単な構造を有し、低コストで製造可能で、メンテナンスが容易な、片手によってワンタッチでシートを切り取ることができるシートロールホルダーを提供することにある。
【００１１】
【課題を解決するための手段】
上記課題を解決するため、本発明は、支持構造に固定するための固定部と、前記固定部に突設され、互いに間隔をあけて配置された一対の支持アームと、シートロールの芯部分に通されるとともに、前記一対の支持アームの間に水平な軸のまわりに回転可能に支持されるシートロール保持棒と、前記一対の支持アームの間に水平な支軸のまわりに回動可能に取り付けられ、前記シートロールの外周を取り巻いてのびる制動板兼シート切取板とを備え、前記一対の支持アームにはそれぞれ、前記ロール保持棒の前記シートロールから突出する端部の下側周面を支持する垂直上向きに開口したシートロール保持棒受け部が設けられ、前記支軸は、前記一対の支持アームの間に支持されたシートロールの中心軸の位置より低い位置で、かつ前記支持アームにおける、前記一対の支持アームの間に支持された前記シートロールの中心軸から前記シートロールの満巻時の半径より大きい距離離れた位置に配置され、前記制動板兼シート切取板は、前記支軸に対して垂直な平面で切り取られた断面において上に凸となるように湾曲し、前記支軸から前記シートロールの巻き取り方向にのびる後側部分および前記支軸から前記シートロールの引き出し方向にのびる前側部分からなり、前記後側部分は、前記支軸から前記前側部分よりも長い距離のびていて、前記後側部分の下面の一部が常に前記シートロールの外周面に接触するようになっており、前記前側部分の前端縁にはシートを切り取るための歯が取り付けられ、前記シートロールから引き出されたシート部分の後端縁が切り取りのために前記制動板兼シート切取板の前側部分の歯に押し当てられたとき、前記制動板兼シート切取板は、前記支軸に関して前記前側部分が持ち上げられると同時に、前記後側部分の下面が前記シートロールの外周面に押しつけられるように回動し、前記シートロールの回転を制動するようになっていることを特徴とするシートロールホルダーを構成したものである。
【００１２】
上記構成において、好ましくは、前記制動板兼シート切取板は、前記支軸に対して垂直な平面で切り取られた断面において、前記前側部分および前記後側部分が、異なる曲率を有する円弧状に湾曲しているとともに、前記前側部分の曲率は前記後側部分の曲率より小さくなっている。あるいは、前記制動板兼シート切取板は、前記支軸に対して垂直な平面で切り取られた断面において、前記前側部分および前記後側部分が、異なる曲率を有する円弧状に湾曲しているとともに、前記前側部分の曲率は前記後側部分の曲率より大きくなっている。
【００１３】
また、好ましくは、前記固定部は独立した２つの板状体からなり、一方の板状体に前記一対の支持アームの一方が突設され、他方の板状体には前記一対の支持アームの他方が突設されている。また好ましくは、前記一対の支持アームのうちの少なくとも一方には、蓋を備えた開口を有する空洞が設けられ、前記空洞内には、芳香剤または消臭剤または脱臭剤またはそれらの組み合わせが収容されるようになっており、前記支持アームには、前記空洞と外部空間を連通する複数の通気孔が形成されている。
また、好ましくは、前記制動板兼シート切取板は、前記支軸に対して垂直な平面で切り取られた断面において、前記後側部分の長さが、前記前側部分の長さの１．５〜２倍となるように形成されており、また好ましくは、前記制動板兼シート切取板の前記前側部分の少なくとも一側部には、切り取り後に前記歯に残されたシートの引出端から前記ロールまでのびるシート部分を指で摘むための切欠が形成されている。
【００１４】
【発明の実施の形態】
以下、添付図面を参照して本発明の好ましい実施例について説明する。図１は、本発明の１実施例によるシートロールホルダーの斜視図である。また、図２は、図１のシートロールホルダーの使用状態を示す側面図であり、図３は、図１のシートロールホルダーのロール装着時の状態を示す側面図である。この実施例では、シートロールホルダーは、トイレットペーパーホルダーとして構成される。
【００１５】
図１〜図３を参照して、本発明のトイレットペーパーホルダーは、（図示されない）壁面等の支持構造に固定するための固定部１と、固定部１に突設され、互いに間隔をあけて配置された一対の支持アーム２ａ、２ｂと、トイレットペーパーロール３の芯部分に通され、一対の支持アーム２ａ、２ｂの間に水平な軸のまわりに回転可能に支持されたロール保持棒４と、一対の支持アーム２ａ、２ｂの間に水平な支軸のまわりに回動可能に取り付けられ、トイレットペーパーロール３の外周を取り巻いてのびる制動板兼ペーパー切取板６とを備えている。
【００１６】
一対の支持アーム２ａ、２ｂには、それぞれ、上端中間部に切欠が設けられており、これらの切欠は、ロール保持棒４のトイレットペーパーロール３から突出する端部４ａ、４ｂの下側周面を支持する垂直上向きに開口したロール保持棒受け部７ａ、７ｂを形成している。
【００１７】
制動板兼ペーパー切取板６の支軸５は、支持アーム２ａ、２ｂの先端部であって、支持アーム２ａ、２ｂに支持されたロール３の中心軸の位置より低い位置でかつロール３の中心軸からロール３半径より大きい距離離れた位置に配置される。
制動板兼ペーパー切取板６は、支軸５に対して垂直な平面で切り取られた断面において上に凸となるように湾曲しており、支軸５からロール３の巻き取り方向にのびる後側部分６ｂおよび支軸５からロール３の引き出し方向にのびる前側部分６ａからなっている。さらに、制動板兼ペーパー切取板６の後側部分６ｂは、支軸５から前側部分６ａよりも長い距離のびていて、後側部分６ｂの下面の一部が常にロール３の外周面に接触するようになっている。
【００１８】
この場合、制動板兼ペーパー切取板６は、支軸５に対して垂直な平面で切り取られた断面において、前側部分６ａおよび後側部分６ｂが、異なる曲率を有する円弧状に湾曲しているとともに、前側部分６ａの曲率が後側部分６ｂの曲率より小さくなっており、さらに、後側部分６ｂは、前側部分６ａの長さの１．５〜２倍の長さを有している。
それによって、図２からわかるように、制動板兼ペーパー切取板６の後側部分６ｂの下面の一部が常に確実にロール３の外周面に接触するとともに、前側部分６ａが、常に、支軸５から下向きにホルダー後方にそれるようにのびるように配置されることが保証される。したがって、この実施例では、トイレットペーパーを切り取るための歯９が、制動板兼ペーパー切取板６の前側部分６ａの前端縁ではなく、前端裏面に取り付けられる。このため、ペーパーの切り取り時に使用者の指等が触れることが回避され、非常に安全である。歯９には、ペーパーの切り取り後、ホルダー側に残されるロール３の引出端がそれに食い込んで係止されるようになっている。
【００１９】
さらに、制動板兼ペーパー切取板６の前側部分６ａの両側部には、切り取り後に歯９に残されたペーパーの引出端からロール３までのびるペーパー部分３ｂを指で摘むための切欠１０ａ、１０ｂが形成され、前側部分６ａの切欠１０ａ、１０ｂより前に位置する部分は、一対の支持アーム２ａ、２ｂの間隔より大きな幅を有している。
【００２０】
また、図１に示されるように、少なくとも一方の支持アーム２ｂには、上端面に開口し、両側をメッシュ板４１によって囲まれた垂直下向きにのびる空洞４５が形成され、空洞４５の上端開口には蓋４０が取り外し可能に取り付けられている。空洞４５内には、芳香剤または消臭剤または脱臭剤、またはこれらの組み合わせが収容され、それによって、トイレの消臭や脱臭を行うことができる。
【００２１】
この実施例では、ロールのホルダーへの装着時、制動板兼ペーパー切取板６が、手で、支軸５に関して後側部分６ｂを持ち上げる向きに回動せしめられる。このとき、後側部分６ｂがある角度以上回動せしめられると、制動板兼ペーパー切取板６は、その回動方向に沿って自動的に回動し、前側部分６ａの切欠１０ａ、１０ｂより前の部分が支持アーム２ａ、２ｂの下端に当接する位置で静止する（図３参照）。それによってホルダーの上部が大きく開口する。そして、ロールに通されたロール保持棒の両端が、一対の支持アーム２ａ、２ｂのロール保持棒受け部７ａ、７ｂに上から落とし込まれ、ロールがホルダーに装着される。ロール装着後、制動板兼ペーパー切取板６が、手で、前と反対向きに回動せしめられる。このとき、後側部分６ｂがある角度以上回動せしめられると、制動板兼ペーパー切取板６は、その回動方向に沿って自動的に回動し、後側部分６ｂの下面の一部がロール外周面に当接する位置で静止する（図２参照）。
【００２２】
トイレットペーパーホルダーの使用時には、制動板兼ペーパー切取板６の切欠１０ａ、１０ｂの一方から、片方の手の指で、歯９に残されたペーパーの引出端からロール３までのびるペーパー部分３ｂが摘まれ、ホルダーから所要の長さ引き出される。このとき、制動板兼ペーパー切取板６の後側部分６ｂの下面の一部がロール３の外周面に接触しているので、ロール３がその慣性により過度に回転することが防止され、ペーパーは途中で弛むことなく円滑に引き出される。また、ペーパー引き出しの際に、ホルダーに指を触れずに、ペーパーの引出端を摘んでペーパーを上向きに引き出し、切り取ることができるので、非常に衛生的である。
【００２３】
そして、図２に示されるように、所要の長さ引き出されたペーパー部分３ａの後端縁３ｃが切り取りのために制動板兼ペーパー切取板６の歯に押し当てられたとき、制動板兼ペーパー切取板６は、支軸５に関して前側部分６ａが持ち上げられると同時に、後側部分６ｂの下面がロール３の外周面に押しつけられるように回動する。それによって、ロール３は回転を制動され、ペーパー部分３ａは容易に切り取られる。
この実施例によれば、片手によってワンタッチでペーパーを切り取ることができ、また、ロールの交換も非常に簡単に行える。
【００２４】
この実施例では、制動板兼シート切取板６は、支軸５に対して垂直な平面で切り取られた断面において、その前側部分６ａの曲率が後側部分６ｂの曲率より小さくなるような構成としているが、前側部分６ａの曲率が後側部分６ｂの曲率より大きくなるような構成としてもよい。
【００２５】
【発明の効果】
本発明によれば、非常に簡単な構造を有し、低コストで製造することができ、メンテナンスが容易な、片手操作でワンタッチ式にシートを切り取ることができるシートロールホルダーを提供することができる。
【図面の簡単な説明】
【図１】本発明の１実施例によるシートロールホルダーの斜視図である。
【図２】図１のシートロールホルダーの使用状態を示す側面図である。
【図３】図１のシートロールホルダーのロール装着時の状態を示す側面図である。
【符号の説明】
１ 固定部
２ａ、２ｂ 支持アーム
３ トイレットペーパーロール
３ａ、３ｂ ペーパー部分
４ ロール保持棒
５ 支軸
６ 制動板兼ペーパー切取板
６ａ 前側部分
６ｂ 後側部分
７ａ、７ｂ ロール保持棒受け部
９ 歯
１０ａ、１０ｂ 切欠
【手続補正２】
【補正対象書類名】図面
【補正対象項目名】全図
【補正方法】変更
【補正の内容】
【図１】
2004174038.tif 000001
【図２】
2004174038.tif 000002
【図３】
2004174038.tif 000003